(57)【要約】  バスバーを隣り合う他のバスバー等と接触させず軸方向の厚みを薄くして小型化できるステータアッシを提供する。ステータアッシ（１０）は、ステータ（１１）、インシュレータ（１２）、電線（１３）、バスバー（１４−１７）を有する。ステータは、環状に形成した本体部（１１ａ）と、本体部から径方向内方に向かう方向に突出して形成した複数の突出部（１１ｂ）を備えている。インシュレータは、突出部を被覆している。電線は、インシュレータを介して突出部に巻き付けている。バスバーは、導電性を備え環状に形成し、同一の位相の電力が供給される電線同士を電気的に接続している。バスバーは、径方向と交差する軸方向に沿った断面形状において、軸方向に沿った長さを径方向に沿った長さに対して短く形成している。インシュレータは、径方向の外周縁から内方に向かって切り欠いた挿入部を備え、バスバーを挿入部に挿入して保持している。
2015151214.tif 000002
【特許請求の範囲】
【請求項１】
環状に形成した本体部と、前記本体部から径方向内方または外方に向かう方向に突出して形成した複数の突出部と、を備えたステータと、  絶縁性を備え、前記突出部を被覆したインシュレータと、  前記インシュレータを介して前記突出部に巻き付けてコイルを形成した電線と、  導電性を備え環状に形成し、同一の位相の電力が供給される前記電線同士を電気的に接続したバスバーと、を有し、  前記バスバーは、前記径方向と交差する軸方向に沿った断面形状において、前記軸方向に沿った長さを前記径方向に沿った長さに対して短く形成し、  前記インシュレータは、前記径方向の外周縁から内方に向かって切り欠いた挿入部を備え、前記バスバーを前記挿入部に挿入して保持したステータアッシ。
【請求項２】
前記バスバーは、前記突出部よりも前記径方向外方に備え、  前記バスバーの前記軸方向に沿った位置は、前記コイルを形成した部分の前記電線の前記軸方向に沿った位置と少なくとも一部重複するように配設した請求項１に記載のステータアッシ。
【請求項３】
前記インシュレータは、前記径方向外方に向かう方向に突出して形成した係留部を備え、  前記バスバーは、前記径方向外方または内方に凸状に形成した凸状部を備え、  前記凸状部は、前記径方向に沿って前記係留部に当接して係留した請求項１または２に記載のステータアッシ。
【請求項４】
前記凸状部と、前記突出部よりも前記径方向外方に引き出した前記電線の端部と、を結線した請求項３に記載のステータアッシ。
【請求項５】
前記電線は、前記ステータと前記挿入部との間を通して、前記インシュレータによって保持されつつ前記径方向外方に引き出される請求項４に記載のステータアッシ。
【請求項６】
前記バスバーは、一端部と他端部とが対向するように切り欠いて環状に形成し、  前記一端部と前記他端部は、互いの距離を延長するように離間自在とした請求項１〜５のいずれか１項に記載のステータアッシ。
【請求項７】
前記バスバーは、前記一端部と前記他端部との間において、前記径方向外方に湾曲し外部から電力が供給される端子部を形成した請求項６に記載のステータアッシ。
【請求項８】
前記バスバーは、絶縁性を備えた塗料を塗布した請求項１〜７のいずれか１項に記載のステータアッシ。
【請求項９】
隣り合う前記バスバーは、絶縁性を備えた樹脂によって封止した請求項１〜８のいずれか１項に記載のステータアッシ。
【発明の詳細な説明】
【技術分野】
【０００１】  本発明は、ステータアッシに関する。
【背景技術】
【０００２】  従来から、固定子と回転子を含み、入力した電気エネルギーによって発生させた電磁力に基づき回転のような機械エネルギーを生成するモータがある。固定子は、ステータアッシに相当し、ステータの突出部を被覆したインシュレータに巻き付けた電線をバスバーに結線しているものがある。軸方向の厚みを薄くするために、ヨークがティースよりも軸方向に沿って厚いステータに対して、バスバーユニットを組み込んだ構成がある（特許文献１参照。）。
【先行技術文献】
【特許文献】
【０００３】
【特許文献１】特開２００８−２７８６９２号公報
【発明の概要】
【発明が解決しようとする課題】
【０００４】  しかしながら、上記特許文献１の構成は、バスバーユニットの構成について工夫されているものの、バスバーに係る形状等の仕様自体は従来と同様であり、軸方向の厚みを十分に薄くすることが困難である。さらに、バスバーユニットの軸方向の厚みを薄くすることができたとしても、バスバーと隣り合う他のバスバー等との間隔が狭まり接触してしまう虞がある。【０００５】  本発明は、上記の課題を解決するためになされたものであり、バスバーを隣り合う他のバスバー等と接触させることなく、軸方向の厚みを薄くして小型化することができるステータアッシの提供を目的とする。
【課題を解決するための手段】
【０００６】  上記目的を達成する本発明に係るステータアッシは、ステータ、インシュレータ、電線、およびバスバーを有している。ステータは、環状に形成した本体部と、本体部から径方向内方または外方に向かう方向に突出して形成した複数の突出部を備えている。インシュレータは、絶縁性を備え、突出部を被覆している。電線は、インシュレータを介して突出部に巻き付けてコイルを形成している。バスバーは、導電性を備え環状に形成し、同一の位相の電力が供給される電線同士を電気的に接続している。ここで、バスバーは、径方向と交差する軸方向に沿った断面形状において、軸方向に沿った長さを径方向に沿った長さに対して短く形成している。さらに、インシュレータは、径方向の外周縁から内方に向かって切り欠いた挿入部を備え、バスバーを挿入部に挿入して保持している。
【図面の簡単な説明】
【０００７】
【図１】実施形態のステータアッシを示す斜視図である。
【図２】図１のステータアッシからモールド樹脂を除いた状態を示す斜視図である。
【図３】図２のステータアッシを断面で示す斜視図である。
【図４】図３のステータアッシからフレームを除いた状態における要部を異なる方位から示す斜視図である。
【図５】図３のステータアッシからステータおよびフレームを除いた状態における要部を示す斜視図である。
【図６】図２のステータアッシを構成部材毎に分解して示す分解斜視図である。
【発明を実施するための形態】
【０００８】  以下、添付した図面を参照しながら、本発明に係る実施形態について説明する。図面の説明において同一の要素には同一の符号を付し、重複する説明を省略する。図面における部材の大きさや比率は、説明の都合上誇張され実際の大きさや比率とは異なる場合がある。図１〜図６の全ての図において、Ｘ、Ｙ、およびＺで表す矢印を用いて、方位を示している。図１〜図６は、同一の方位によって図示している。ＸおよびＹで表す矢印の方向は、ステータ１１の径方向である。Ｚで表す矢印の方向は、ステータ１１の軸方向である。
【０００９】  （実施形態）  ステータアッシ１０は、モータの固定子に相当する。モータは、固定子と回転子を含み、入力した電気エネルギーによって発生させた電磁力に基づき回転のような機械エネルギーを生成する。ステータアッシ１０は、例えば内方に収容した回転子を回転させる固定子に相当する。
【００１０】  ステータアッシ１０について、図１〜図６を参照しながら説明する。
【００１１】  図１は、ステータアッシ１０を示す斜視図である。図２は、図１のステータアッシ１０からモールド樹脂１９を除いた状態を示す斜視図である。図３は、図２のステータアッシ１０を断面で示す斜視図である。図４は、図３のステータアッシ１０からフレーム１８を除いた状態における要部を異なる方位から示す斜視図である。図５は、図３のステータアッシ１０からステータ１１およびフレーム１８を除いた状態における要部を示す斜視図である。図６は、図２のステータアッシ１０を構成部材毎に分解して示す分解斜視図である。
【００１２】  ステータアッシ１０は、ステータ１１、インシュレータ１２、電線１３、バスバー（Ｕ相バスバー１４、Ｖ相バスバー１５、Ｗ相バスバー１６、およびＮ相バスバー１７）、フレーム１８、モールド樹脂１９等を含んでいる。以下、ステータアッシ１０の構成部材について、順に説明する。
【００１３】  ステータ１１は、環状に形成した本体部１１ａと、本体部１１ａから径方向（Ｘ方向またはＹ方向）内方に向かう方向に突出して形成した複数の突出部１１ｂと、を備えている。ステータ１１は、本体部１１ａと複数の突出部１１ｂを一体に形成している。ステータ１１は、磁性体からなる。ステータ１１の突出部１１ｂは、インシュレータ１２を介して電線１３をコイル状に巻き付けている。電線１３に電力を印加すると、ステータ１１に磁界が発生する。ステータ１１は、発生させた磁界によって、内方に収納したロータを回転させる。
【００１４】  インシュレータ１２は、絶縁性を備え、ステータ１１の突出部１１ｂを被覆している。インシュレータ１２は、筺体上部１２Ｍおよび筺体下部１２Ｎからなり、ステータ１１の突出部１１ｂを軸方向に沿った両側から挟み込むように構成している。筺体上部１２Ｍは、径方向（Ｘ方向またはＹ方向）外方に向かう方向に突出して係留部１２ａを形成している。係留部１２ａは、Ｎ相バスバー１７の凸状部１７ｄを径方向（Ｘ方向またはＹ方向）に沿って当接させて、Ｎ相バスバー１７を係留している。筺体上部１２Ｍは、径方向（Ｘ方向またはＹ方向）の外周縁から内方に向かって切り欠いて挿入部１２ｂを形成している。挿入部１２ｂは、軸方向（Ｚ方向）に沿って複数形成している。挿入部１２ｂは、バスバー（Ｕ相バスバー１４、Ｖ相バスバー１５、およびＷ相バスバー）を、それぞれ挿入して保持している。係留部１２ａの上面に備えた凹部に、Ｎ相バスバー１７を埋設している。また、挿入部１２ｂの更に下部（ステータ１１側）には、径方向（Ｘ方向またはＹ方向）外方に向かう方向に突出する電線保持面１２ｃが設けられる。
【００１５】  電線１３は、インシュレータ１２を介してステータ１１の突出部１１ｂに巻き付けてコイルを形成している。電線１３は、長尺からなる銅の外周面を絶縁体で覆って形成している。電線１３は、図４に示すように、径方向（Ｘ方向またはＹ方向）外方に引き出している。電線１３は、ステータ１１と挿入部１２ｂとの間を通している。電線１３は、インシュレータ１２の電線保持面１２ｃ上に設けられた溝に埋設されて保持されている。電線１３の端部１３ａの一方は、Ｕ相バスバー１４、Ｖ相バスバー１５、またはＷ相バスバー１６の結線部１４ｅ、１５ｅ、または１６ｅに対して、かしめて接続している。電線１３の端部１３ａの他方は、Ｎ相バスバー１７の結線部１７ｅに対して、かしめて接続している。電線１３の端部１３ａの一方および他方は、ステータ１１の突出部１１ｂよりも径方向（Ｘ方向またはＹ方向）外方に引き出している。突出部１１ｂに巻き付けられた複数の電線１３には、バスバー（Ｕ相バスバー１４、Ｖ相バスバー１５、およびＷ相バスバー１６）を介して、１２０度ずつ位相を異ならせたＵ相、Ｖ相、Ｗ相のいずれかの電力が供給される。
【００１６】  バスバー（Ｕ相バスバー１４、Ｖ相バスバー１５、Ｗ相バスバー１６、およびＮ相バスバー１７の少なくともいずれか１つ）は、導電性を備え環状に形成し、同一の位相の電力が供給される電線１３同士を電気的に接続している。バスバー（例えばＵ相バスバー１４）は、径方向（Ｘ方向またはＹ方向）と交差する軸方向（Ｚ方向）に沿った断面形状において、軸方向（Ｚ方向）に沿った長さを径方向（Ｘ方向またはＹ方向）に沿った長さよりも短く形成している。
【００１７】  バスバー（例えばＵ相バスバー１４）は、印加できる電力量が断面積に依存することから、所定の電力の送電に要する断面積を変えることなく断面形状を円形状から扁平形状にする。
【００１８】  Ｕ相バスバー１４、Ｖ相バスバー１５、およびＷ相バスバー１６は、同一の形状からなり、３相交流電源から供給される電力を受電して、コイル状に形成した電線１３に分配して供給する。Ｕ相バスバー１４、Ｖ相バスバー１５、およびＷ相バスバー１６は、コイル状に形成した電線１３が１８スロットであることから、それぞれ２スロット飛びで６スロットに給電する。Ｎ相バスバー１７は、Ｕ相バスバー１４、Ｖ相バスバー１５、およびＷ相バスバー１６に対するアースに相当する。
【００１９】  Ｎ相バスバー１７は、径方向（Ｘ方向またはＹ方向）外方に凸状の凸状部１７ｄを形成している。Ｎ相バスバー１７の凸状部１７ｄは、径方向（Ｘ方向またはＹ方向）に沿って、インシュレータ１２の係留部１２ａに当接して係留させている。Ｕ相バスバー１４、Ｖ相バスバー１５、Ｗ相バスバー１６、およびＮ相バスバー１７は、ステータ１１の突出部１１ｂよりも径方向（Ｘ方向またはＹ方向）外方に配設している。Ｕ相バスバー１４、Ｖ相バスバー１５、Ｗ相バスバー１６、およびＮ相バスバー１７の軸方向（Ｚ方向）に沿った位置は、コイルを形成した部分の電線１３の軸方向（Ｚ方向）に沿った位置と重複している。Ｕ相バスバー１４、Ｖ相バスバー１５、Ｗ相バスバー１６、およびＮ相バスバー１７において、例えばＵ相バスバー１４は、一端部１４ａと他端部１４ｂとが対向するように切り欠いた環状に形成している。
【００２０】  Ｕ相バスバー１４、Ｖ相バスバー１５、Ｗ相バスバー１６、およびＮ相バスバー１７は、それぞれ軸方向（Ｚ方向）外方に突出した部分に、半円形状の結線部１４ｅ、１５ｅ、１６ｅ、１７ｅを備えている。結線部１４ｅ、１５ｅ、１６ｅ、１７ｅは、電線１３の端部１３ａをかしめて結線している。一方、Ｕ相バスバー１４、Ｖ相バスバー１５、Ｗ相バスバー１６、およびＮ相バスバー１７において、例えばＵ相バスバー１４は、一端部１４ａと他端部１４ｂとの間に、径方向（Ｘ方向またはＹ方向）外方に突出し外部から電力の供給を受ける端子部１４ｃを形成している。端子部１４ｃは、ボルトやナットを挿通するために、径方向（Ｘ方向またはＹ方向）外方に突出したＵ字状に形成している。
【００２１】  フレーム１８は、ステータ１１、インシュレータ１２、電線１３、Ｕ相バスバー１４、Ｖ相バスバー１５、Ｗ相バスバー１６、Ｎ相バスバー１７を収納して、それらの部材を保護している。フレーム１８は、円筒形状に形成し、一端部１８ａを開口している。フレーム１８は、一端部１８ａに対向した他端部１８ｂの中央部分に、挿通孔１８ｃを開口している。フレーム１８の挿通孔１８ｃは、ロータを挿通して回転自在に支持する。
【００２２】  モールド樹脂１９は、ステータ１１とフレーム１８の間であって、隣り合うバスバー（例えば、Ｕ相バスバー１４とＶ相バスバー１５）の隙間に対して充填して封止する。モールド樹脂１９は、放熱性および絶縁性を備えたものを用いる。樹脂（モールド樹脂１９）は、例えばエポキシ樹脂からなる。モールド樹脂１９は、放熱を目的としたものであるが、絶縁や振動の吸収にも対応できる。
【００２３】  上述した実施形態に係るステータアッシ１０によれば、以下の構成によって作用効果を奏する。
【００２４】  ステータアッシ１０は、ステータ１１、インシュレータ１２、電線１３、およびバスバー（Ｕ相バスバー１４、Ｖ相バスバー１５、Ｗ相バスバー１６、およびＮ相バスバー１７の少なくともいずれか１つ）を有している。ステータ１１は、環状に形成した本体部１１ａと、本体部１１ａから径方向（Ｘ方向またはＹ方向）内方に向かう方向に突出して形成した複数の突出部１１ｂを備えている。インシュレータ１２は、絶縁性を備え、突出部１１ｂを被覆している。電線１３は、インシュレータ１２を介して突出部１１ｂに巻き付けてコイルを形成している。バスバー（Ｕ相バスバー１４、Ｖ相バスバー１５、Ｗ相バスバー１６、およびＮ相バスバー１７の少なくともいずれか１つ）は、導電性を備え環状に形成し、同一の位相の電力が供給される電線１３同士を電気的に接続している。ここで、バスバー（例えばＵ相バスバー１４）は、径方向（Ｘ方向またはＹ方向）と交差する軸方向（Ｚ方向）に沿った断面形状において、軸方向（Ｚ方向）に沿った長さを径方向（Ｘ方向またはＹ方向）に沿った長さに対して短く形成している。さらに、インシュレータ１２（筺体上部１２Ｍ）は、径方向（Ｘ方向またはＹ方向）の外周縁から内方に向かって切り欠いた挿入部１２ｂを備え、バスバー（例えばＵ相バスバー１４）を挿入部１２ｂに挿入して保持している。
【００２５】  このような構成によれば、バスバー（例えばＵ相バスバー１４）を、軸方向（Ｚ方向）に沿った長さが径方向（Ｘ方向またはＹ方向）に沿った長さよりも短くなるように形成し、かつ、インシュレータ１２（筺体上部１２Ｍ）の挿入部１２ｂに挿入して保持している。したがって、バスバー（例えばＵ相バスバー１４）が、例えば軸方向（Ｚ方向）に沿って移動したり振動したりすることを防止できる。すなわち、ステータアッシ１０を軸方向（Ｚ方向）に沿って小型化しつつ、バスバー（例えばＵ相バスバー１４）が、隣り合う他のバスバー（例えばＶ相バスバー１５）や他の構成部材と接触することを防止できる。
【００２６】  なお、バスバー（例えばＵ相バスバー１４）は、印加できる電力量が断面積に依存することから、必要な断面積を変えることなく断面形状を円形状から扁平形状にすることが望ましい。
【００２７】  また、このような構成によれば、バスバー（例えばＵ相バスバー１４）は、他の構成部材（例えばインシュレータ１２）に対して軸方向（Ｚ方向）における接触面積を増加させ易い。すなわち、ステータアッシ１０に対して軸方向（Ｚ方向）に振動や衝撃が加わった場合に、バスバー（例えばＵ相バスバー１４）と他の構成部材（例えばインシュレータ１２）との間で応力を分散させ易い。さらに、バスバー（例えばＵ相バスバー１４）は、他の構成部材（例えばインシュレータ１２）との静止摩擦力を増加させ易い。すなわち、バスバー（例えばＵ相バスバー１４）は、振動や衝撃に伴う位置ずれを防止し易い。
【００２８】  さらに、バスバー（例えばＵ相バスバー１４）は、突出部１１ｂよりも径方向（Ｘ方向またはＹ方向）外方に備えた構成とすることができる。ここで、バスバー（例えばＵ相バスバー１４）の軸方向（Ｚ方向）に沿った位置が、コイルを形成した部分の電線１３の軸方向（Ｚ方向）に沿った位置と少なくとも一部重複するように配設している。
【００２９】  このような構成によれば、バスバー（例えばＵ相バスバー１４）と、コイルを形成した部分の電線１３とが、軸方向（Ｚ方向）に沿って重複している長さだけ、ステータアッシ１０の軸方向（Ｚ方向）の長さを短縮することができる。すなわち、バスバー（例えばＵ相バスバー１４）は、コイルを形成した部分の電線１３の径方向（Ｘ方向またはＹ方向）外方に配設することによって、コイルを形成した部分の電線１３の直上に配設した場合と比較して、ステータアッシ１０をさらに薄くすることができる。
【００３０】  さらに、インシュレータ１２（筺体上部１２Ｍ）は、径方向（Ｘ方向またはＹ方向）外方に向かう方向に突出して形成した係留部１２ａを備えた構成とすることができる。また、バスバー（例えばＮ相バスバー１７）は、径方向（Ｘ方向またはＹ方向）外方または内方に凸状に形成した凸状部１７ｄを備えた構成とすることができる。ここで、凸状部１７ｄは、径方向（Ｘ方向またはＹ方向）に沿って係留部１２ａに当接して係留している。
【００３１】  このような構成によれば、バスバー（例えばＮ相バスバー１７）が軸方向（Ｚ方向）を中心として回転して位置がずれることを防止できる。したがって、バスバーをインシュレータ１２に対して精度良く位置決めすることができる。
【００３２】  さらに、凸状部（例えばＵ相バスバー１４の凸状部１４ｄ）と、突出部１１ｂよりも径方向（Ｘ方向またはＹ方向）外方に引き出した電線１３の端部１３ａとを結線した構成とすることができる。
【００３３】  このような構成によれば、バスバー（例えばＵ相バスバー１４）の軸方向（Ｚ方向）の長さが短くても、ステータ１１の径方向（Ｘ方向またはＹ方向）外方から、凸状部（例えばＵ相バスバー１４の凸状部１４ｄ）と電線１３の結線を容易に行うことができる。すなわち、バスバー（例えばＵ相バスバー１４）の軸方向（Ｚ方向）の長さに依存することなく、凸状部（例えばＵ相バスバー１４の凸状部１４ｄ）と電線１３との結線を行うためのスペースを十分に確保することができることから、結線の作業性を向上させることができる。
【００３４】  電線１３は、ステータ１１と挿入部１２ｂとの間を通して、インシュレータ１２の電線保持面１２ｃによって保持されつつ径方向（Ｘ方向またはＹ方向）外方に引き出される構成とすることができる。
【００３５】  このような構成によれば、電線１３を径方向（Ｘ方向またはＹ方向）外方に引き出すために、特別なスペースを要することなく、ステータ１１と挿入部１２ｂとの隙間を用いることができる。すなわち、電線１３は、ステータアッシ１０の軸方向（Ｚ方向）に沿った小型化を妨げることがない。さらに、電線１３をインシュレータ１２の電線保持面１２ｃによって保持することができる。すなわち、電線１３は、振動や衝撃に伴う断線を防止することができる。
【００３６】  さらに、バスバー（例えばＵ相バスバー１４）は、一端部１４ａと他端部１４ｂとが対向するように切り欠いて環状に形成し、一端部１４ａと他端部１４ｂは、互いの距離を延長するように離間自在とした構成とすることができる。
【００３７】  このような構成によれば、バスバー（例えばＵ相バスバー１４）は、径大となるように一時的に拡げた状態において、他の構成部材（例えばインシュレータ１２）に対して容易に装着できる。特に、バスバー（例えばＵ相バスバー１４）は軸方向（Ｚ方向）の長さが短い扁平形状であっても、切り欠いた部分を開くことによって容易に変形させることができる。バスバー（例えばＵ相バスバー１４）は、一端部１４ａと他端部１４ｂとを径方向（Ｘ方向またはＹ方向）のみに沿って拡げてもよいし、一端部１４ａと他端部１４ｂとを軸方向（Ｚ方向）に対して位置が異なるように撓ませつつ拡げてもよい。バスバー（例えばＵ相バスバー１４）は、一端部１４ａと他端部１４ｂの間に空間が発生するように切り欠きを形成してもよいし、一端部１４ａと他端部１４ｂの間を単に切断してスリット状の切り欠きを形成してもよい。
【００３８】  さらに、バスバー（例えばＵ相バスバー１４）は、一端部１４ａと他端部１４ｂとの間において、径方向（Ｘ方向またはＹ方向）外方に湾曲し外部から電力が供給される端子部１４ｃを形成した構成とすることができる。
【００３９】  このような構成によれば、バスバー（例えばＵ相バスバー１４）は、電力の供給を受けるために必要な端子部１４ｃを起点にして一端部１４ａと他端部１４ｂの間の距離を拡げることによって、径大となるように変形させることができる。したがって、バスバー（例えばＵ相バスバー１４）は、端子部１４ｃによって、容易かつ安定的に径大となるように変形させることができる。
【００４０】  さらに、バスバー（例えばＵ相バスバー１４）は、絶縁性を備えた塗料２１を塗布した構成とすることができる。
【００４１】  このような構成によれば、絶縁性を備えた塗料２１によって、隣り合うバスバー（例えば、Ｕ相バスバー１４とＶ相バスバー１５）の間の放電を防止することができる。特に、隣り合うバスバー（例えば、Ｕ相バスバー１４とＶ相バスバー１５）の間において、他の構成部材（例えば絶縁性を備えたインシュレータ１２）が存在しない部分の放電を十分に防止することができる。塗料は、例えば、微細化したエポキシ樹脂に相当する。
【００４２】  さらに、隣り合うバスバー（例えば、Ｕ相バスバー１４とＶ相バスバー１５）は、絶縁性を備えた樹脂（モールド樹脂１９）によって封止した構成とすることができる。
【００４３】  このような構成によれば、絶縁性を備えた樹脂（モールド樹脂１９）によって、隣り合うバスバー（例えば、Ｕ相バスバー１４とＶ相バスバー１５）の間の放電を防止することができる。特に、隣り合うバスバー（例えば、Ｕ相バスバー１４とＶ相バスバー１５）の間において、他の構成部材（例えば絶縁性を備えたインシュレータ１２）が存在しない部分の放電を十分に防止することができる。さらに、樹脂（モールド樹脂１９）によって、隣り合うバスバー（例えば、Ｕ相バスバー１４とＶ相バスバー１５）から外部に対して放熱させることができる。したがって、樹脂（モールド樹脂１９）は、バスバー（例えば、Ｕ相バスバー１４とＶ相バスバー１５）が熱膨張することを抑制し、軸方向（Ｚ方向）に対する伸長を防止できる。さらに、隣り合うバスバー（例えば、Ｕ相バスバー１４とＶ相バスバー１５）が軸方向（Ｚ方向）に振動しても、樹脂（モールド樹脂１９）によって、それらのバスバーが互いに接触することを防止できる。さらに、バスバー（例えば、Ｕ相バスバー１４）が軸方向（Ｚ方向）や径方向（Ｘ方向またはＹ方向）に振動しても、樹脂（モールド樹脂１９）によって除振することができる。
【００４４】  そのほか、本発明は、特許請求の範囲に記載された構成に基づき様々な改変が可能であり、それらについても本発明の範疇である。
【００４５】  例えば、固定子に相当するステータアッシ１０は、その内方に回転子を収容して回転させる構成として説明したが、このような構成に限定されることはない。ステータアッシ１０は、その外方に円筒形状からなる回転子を配設して回転させる構成としてもよい。
【００４６】  また、ステータアッシ１０は、ステータ１１の外周に沿ってフレーム１８を配設した構成として説明したが、このような構成に限定されることはない。ステータアッシ１０は、フレーム１８を設けなくてもよい。このような場合、ステータ１１は、例えば、その外周面から部分的に突出させた突出部に軸方向（Ｚ方向）に沿って貫通孔を形成し、その貫通孔に対してボルトを挿通して固定部材に固定するような構造としてもよい。
【００４７】  また、ステータアッシ１０は、Ｕ相バスバー１４、Ｖ相バスバー１５、Ｗ相バスバー１６、およびＮ相バスバー１７の全てのバスバーを断面形状が軸方向（Ｚ方向）に沿って相対的に短い扁平形状として説明したが、このような構成に限定されることはない。Ｕ相バスバー１４、Ｖ相バスバー１５、Ｗ相バスバー１６、およびＮ相バスバー１７の少なくともいずれか１つ以上のバスバーを扁平形状として構成してもよい。
【００４８】  また、ステータアッシ１０は、筺体上部１２Ｍおよび筺体下部１２Ｎからなるインシュレータ１２によって、１つの突出部１１ｂを被覆する構成として説明したが、このような構成に限定されることはない。インシュレータは、本体部１１ａと複数の突出部１１ｂからなるステータ１１全体を、被覆するように構成してもよい。
【００４９】  また、ステータアッシ１０は、３相として説明したが例えば５相として構成してもよい。この場合、バスバーは、Ｎ相バスバー１７を除いて５本となる。また、ステータアッシ１０は、電線１３の端部１３ａの他方を互いに結線すれば、Ｎ相バスバー１７を必ずしも必要としない。
【符号の説明】
【００５０】１０    ステータアッシ、１１    ステータ、１１ａ  本体部、１１ｂ  突出部、１２    インシュレータ、１２Ｍ  筺体上部、１２Ｎ  筺体下部、１２ａ  係留部、１２ｂ  挿入部、１２ｃ  電線保持面、１３    電線、１３ａ  端部、１４    Ｕ相バスバー、１５    Ｖ相バスバー、１６    Ｗ相バスバー、１７    Ｎ相バスバー、１４ａ，１５ａ，１６ａ  一端部、１４ｂ，１５ｂ，１６ｂ  他端部、１４ｃ，１５ｃ，１６ｃ  端子部、１４ｄ，１５ｄ，１６ｄ，１７ｄ  凸状部、１４ｅ，１５ｅ，１６ｅ，１７ｅ  結線部、１８    フレーム、１８ａ  一端部、１８ｂ  他端部、１８ｃ  挿通孔、１９    モールド樹脂、２１    塗料、Ｘ，Ｙ  （ステータの）径方向、Ｚ      （ステータの）軸方向。
【図１】
2015151214.tif 000003
【図２】
2015151214.tif 000004
【図３】
2015151214.tif 000005
【図４】
2015151214.tif 000006
【図５】
2015151214.tif 000007
【図６】
2015151214.tif 000008
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
環状に形成した本体部と、前記本体部から径方向内方または外方に向かう方向に突出して形成した複数の突出部と、を備えたステータと、
絶縁性を備え、前記突出部を被覆したインシュレータと、
前記インシュレータを介して前記突出部に巻き付けてコイルを形成した電線と、
導電性を備え環状に形成し、同一の位相の電力が供給される前記電線同士を電気的に接続したバスバーと、を有し、
前記バスバーは、前記径方向と交差する軸方向に沿った断面形状において、前記軸方向に沿った長さを前記径方向に沿った長さに対して短く形成し、
前記インシュレータは、前記径方向の外周縁から内方に向かって切り欠いた挿入部を備え、前記バスバーを前記挿入部に挿入して保持し、
前記インシュレータは、前記径方向外方に向かう方向に突出して形成した係留部を備え、
前記バスバーは、前記径方向外方または内方に凸状に形成した凸状部を備え、
前記凸状部は、前記径方向に沿って前記係留部に当接して係留したステータアッシ。
【請求項２】
環状に形成した本体部と、前記本体部から径方向内方または外方に向かう方向に突出して形成した複数の突出部と、を備えたステータと、
絶縁性を備え、前記突出部を被覆したインシュレータと、
前記インシュレータを介して前記突出部に巻き付けてコイルを形成した電線と、
導電性を備え環状に形成し、同一の位相の電力が供給される前記電線同士を電気的に接続したバスバーと、を有し、
前記バスバーは、前記径方向と交差する軸方向に沿った断面形状において、前記軸方向に沿った長さを前記径方向に沿った長さに対して短く形成し、
前記インシュレータは、前記径方向の外周縁から内方に向かって切り欠いた挿入部を備え、前記バスバーを前記挿入部に挿入して保持し、
前記バスバーは、一端部と他端部とが対向するように切り欠いて環状に形成し、
前記一端部と前記他端部は、互いの距離を延長するように離間自在としたステータアッシ。
【請求項３】
前記バスバーは、前記突出部よりも前記径方向外方に備え、
前記バスバーの前記軸方向に沿った位置は、前記コイルを形成した部分の前記電線の前記軸方向に沿った位置と少なくとも一部重複するように配設した請求項１または２に記載のステータアッシ。
【請求項４】
前記凸状部と、前記突出部よりも前記径方向外方に引き出した前記電線の端部と、を結線した請求項１〜３のいずれか１項に記載のステータアッシ。
【請求項５】
前記電線は、前記ステータと前記挿入部との間を通して、前記インシュレータによって保持されつつ前記径方向外方に引き出される請求項４に記載のステータアッシ。
【請求項６】
前記バスバーは、前記一端部と前記他端部との間において、前記径方向外方に湾曲し外部から電力が供給される端子部を形成した請求項２に記載のステータアッシ。
【請求項７】
前記バスバーは、絶縁性を備えた塗料を塗布した請求項１〜６のいずれか１項に記載のステータアッシ。
【請求項８】
隣り合う前記バスバーは、絶縁性を備えた樹脂によって封止した請求項１〜７のいずれか１項に記載のステータアッシ。
【手続補正２】
【補正対象書類名】明細書
【補正対象項目名】０００２
【補正方法】変更
【補正の内容】
【０００２】
レータ、電線、およびバスバーを有している。ステータは、環状に形成した本体部と、本体部から径方向内方または外方に向かう方向に突出して形成した複数の突出部を備えている。インシュレータは、絶縁性を備え、突出部を被覆している。電線は、インシュレータを介して突出部に巻き付けてコイルを形成している。バスバーは、導電性を備え環状に形成し、同一の位相の電力が供給される電線同士を電気的に接続している。ここで、バスバーは、径方向と交差する軸方向に沿った断面形状において、軸方向に沿った長さを径方向に沿った長さに対して短く形成している。さらに、インシュレータは、径方向の外周縁から内方に向かって切り欠いた挿入部を備え、バスバーを挿入部に挿入して保持している。ここで、インシュレータは、径方向外方に向かう方向に突出して形成した係留部を備え、バスバーは、径方向外方または内方に凸状に形成した凸状部を備え、凸状部は、径方向に沿って係留部に当接して係留している。
図面の簡単な説明
［０００７］
［図１］実施形態のステータアッシを示す斜視図である。
［図２］図１のステータアッシからモールド樹脂を除いた状態を示す斜視図である。
［図３］図２のステータアッシを断面で示す斜視図である。
［図４］図３のステータアッシからフレームを除いた状態における要部を異なる方位から示す斜視図である。
［図５］図３のステータアッシからステータおよびフレームを除いた状態における要部を示す斜視図である。
［図６］図２のステータアッシを構成部材毎に分解して示す分解斜視図である。
発明を実施するための形態
［０００８］
以下、添付した図面を参照しながら、本発明に係る実施形態について説明する。図面の説明において同一の要素には同一の符号を付し、重複する説明を省略する。図面における部材の大きさや比率は、説明の都合上誇張され実際の大きさや比率とは異なる場合がある。図１〜図６の全ての図において、Ｘ、Ｙ、およびＺで表す矢印を用いて、方位を示している。図１〜図６は、同一の方位によって図示している。ＸおよびＹで表す矢印の方向は、ステータ１１の径方向である。Ｚで表す矢印の方向は、ステータ１１の軸方向であ
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
環状に形成した本体部と、前記本体部から径方向内方または外方に向かう方向に突出して形成した複数の突出部と、を備えたステータと、
絶縁性を備え、前記突出部を被覆したインシュレータと、
前記インシュレータを介して前記突出部に巻き付けてコイルを形成した電線と、
導電性を備え環状に形成し、同一の位相の電力が供給される前記電線同士を電気的に接続したバスバーと、を有し、
前記バスバーは、前記径方向と交差する軸方向に沿った断面形状において、前記軸方向に沿った長さを前記径方向に沿った長さに対して短く形成し、
前記インシュレータは、前記径方向の外周縁から内方に向かって切り欠いた挿入部を備え、前記バスバーを前記挿入部に挿入して保持し、
前記インシュレータは、前記径方向外方に向かう方向に突出して形成した係留部を備え、
前記バスバーは、前記径方向外方または内方に凸状に形成した凸状部を備え、
前記凸状部は、前記径方向に沿って前記係留部に当接して係留したステータアッシ。
【請求項２】
環状に形成した本体部と、前記本体部から径方向内方または外方に向かう方向に突出して形成した複数の突出部と、を備えたステータと、
絶縁性を備え、前記突出部を被覆したインシュレータと、
前記インシュレータを介して前記突出部に巻き付けてコイルを形成した電線と、
導電性を備え環状に形成し、同一の位相の電力が供給される前記電線同士を電気的に接続したバスバーと、を有し、
前記バスバーは、前記径方向と交差する軸方向に沿った断面形状において、前記軸方向に沿った長さを前記径方向に沿った長さに対して短く形成し、
前記インシュレータは、前記径方向の外周縁から内方に向かって切り欠いた挿入部を備え、前記バスバーを前記挿入部に挿入して保持し、
前記バスバーは、一端部と他端部とが対向するように切り欠いて環状に形成し、
前記一端部と前記他端部は、互いの距離を延長するように離間自在としたステータアッシ。
【請求項３】
前記バスバーは、前記突出部よりも前記径方向外方に備え、
前記バスバーの前記軸方向に沿った位置は、前記コイルを形成した部分の前記電線の前記軸方向に沿った位置と少なくとも一部重複するように配設した請求項１または２に記載のステータアッシ。
【請求項４】
前記凸状部と、前記突出部よりも前記径方向外方に引き出した前記電線の端部と、を結線した請求項１または３に記載のステータアッシ。
【請求項５】
前記電線は、前記ステータと前記挿入部との間を通して、前記インシュレータによって保持されつつ前記径方向外方に引き出される請求項４に記載のステータアッシ。
【請求項６】
前記バスバーは、前記一端部と前記他端部との間において、前記径方向外方に湾曲し外部から電力が供給される端子部を形成した請求項２に記載のステータアッシ。
【請求項７】
前記バスバーは、絶縁性を備えた塗料を塗布した請求項１〜６のいずれか１項に記載のステータアッシ。
【請求項８】
隣り合う前記バスバーは、絶縁性を備えた樹脂によって封止した請求項１〜７のいずれか１項に記載のステータアッシ。
【手続補正２】
【補正対象書類名】明細書
【補正対象項目名】０００６
【補正方法】変更
【補正の内容】
【０００６】
上記目的を達成する本発明に係るステータアッシは、ステータ、インシュレータ、電線、およびバスバーを有している。ステータは、環状に形成した本体部と、本体部から径方向内方または外方に向かう方向に突出して形成した複数の突出部を備えている。インシュレータは、絶縁性を備え、突出部を被覆している。電線は、インシュレータを介して突出部に巻き付けてコイルを形成している。バスバーは、導電性を備え環状に形成し、同一の位相の電力が供給される電線同士を電気的に接続している。ここで、バスバーは、径方向と交差する軸方向に沿った断面形状において、軸方向に沿った長さを径方向に沿った長さに対して短く形成している。さらに、インシュレータは、径方向の外周縁から内方に向かって切り欠いた挿入部を備え、バスバーを挿入部に挿入して保持している。ここで、インシュレータは、径方向外方に向かう方向に突出して形成した係留部を備え、バスバーは、径方向外方または内方に凸状に形成した凸状部を備え、凸状部は、径方向に沿って係留部に当接して係留している。
【国際調査報告】
2015151214.tif 000009
2015151214.tif 000010
2015151214.tif 000011
2015151214.tif 000012